(57)【要約】【課題】  複数枚の硬貨を異なったタイミングで順に送り出すことができて、硬貨詰まりが発生するおそれを防止することができる硬貨送りローラ及び券銭分離装置を提供する。【解決手段】  規制ローラ２３において、ローラ外周面にローラ軸線方向に沿って複数の環状領域５１，５２を形成する。各環状領域５１，５２にはその周方向に沿って硬貨に対するグリップ力の異なる高摩擦係数部５１Ａ，５２Ａと低摩擦係数部５１Ｂ，５２Ｂとを設ける。隣接する環状領域５１，５２の高摩擦係数部５１Ａ，５２Ａと低摩擦係数部５１Ｂ，５２Ｂとを周方向にずらして配置する。規制ローラ２３の回転により、硬貨に対するグリップ力の強い高摩擦係数部５１Ａ，５２Ａに係合している硬貨が先に送り出される。【選択図】      図５
2006163505.tif 000002
【特許請求の範囲】
【請求項１】
外周面において硬貨の外周に係合するとともに、硬貨の送り方向に回転するようにした硬貨送りローラであって、
ローラ外周面にローラ軸線方向に沿って複数の環状領域を隣接形成するとともに、各環状領域にはその周方向に沿って高摩擦係数部と低摩擦係数部とを設け、隣接する環状領域の高摩擦係数部と低摩擦係数部とを周方向にずらして配置したことを特徴とする硬貨送りローラ。
【請求項２】
前記ローラ外周面に平面部を形成したことを特徴とする請求項１に記載の硬貨送りローラ。
【請求項３】
前記平面部に高摩擦係数部と低摩擦係数部との境界部を設けたことを特徴とする請求項２に記載の硬貨送りローラ。
【請求項４】
異なる硬度の弾性材料を用いることにより、高摩擦係数部と低摩擦係数部とを形成したことを特徴とする請求項１〜請求項３のうちのいずれか一項に記載の硬貨送りローラ。
【請求項５】
軸線が水平面に対して傾斜するとともに、外周間に硬貨の厚さより狭く、整理券または回数券の厚さより広い間隙を介して平行に配置され、この間隙の部分において下方へ向かう方向に互いの反対方向に回転される一対の券銭分離ローラと、
その券銭分離ローラの下側軸端部の上方に設けられ、整理券または回数券の券銭分離ローラの軸方向への移動を規制するとともに、硬貨の同方向への移動を許容するための規制ローラと、
前記券銭分離ローラの下側軸端部の下方に設けられた硬貨計数機構とを備えた券銭分離装置において、
前記規制ローラとして請求項１〜請求項４のうちのいずれか一項に記載の硬貨送りローラを用いたことを特徴とする券銭分離装置。
【発明の詳細な説明】
【技術分野】
【０００１】
この発明は、例えばバス等の乗物において、整理券及び回数券と運賃としての硬貨とを分離するための券銭分離装置の規制ローラ等に用いられる硬貨送りローラ、及びその硬貨送りローラを用いた券銭分離装置に関するものである。
【背景技術】
【０００２】
従来、この種の券銭分離装置としては、例えば特許文献１に開示されるような構成のものが提案されている。この従来構成においては、一対の券銭分離ローラが配置されている。これらの券銭分離ローラは、その中心軸線を水平面に対して傾斜させるとともに、それらの外周面間に硬貨の厚さより狭く、かつ整理券及び回数券の厚さより広い間隙を介在させた状態で平行に配置されている。そして、両券銭分離ローラは、両者間の間隙の部分において下方へ向かう方向に互いの反対方向へ回転されるようになっている。
【０００３】
券銭分離ローラの下側（傾斜下降側）軸端部の下方には、硬貨計数機構が配設されている。そして、券銭分離ローラ上に整理券及び回数券や硬貨が投入されたとき、両券銭分離ローラの回転により、整理券及び回数券は両券銭分離ローラ間の間隙に巻き込まれるようにして同間隙間を通過して下方に送り出される。これに対して、硬貨は両券銭分離ローラ間の間隙内に送り込まれることなく、券銭分離ローラ上で下側軸端部に向かって移動されて、硬貨計数機構に送り込まれるようになっている。
【０００４】
しかしながら、このような構成の券銭分離装置において、整理券及び回数券と多くの硬貨とが同時に投入されたとき、それらが分離されないままの状態で券銭分離ローラの下側軸端部に移動されて、硬貨計数機構に送り込まれ、整理券及び回数券や硬貨の詰まりを発生するというおそれがあった。
【０００５】
このような問題に対処するため、図１０に示すように、券銭分離ローラ６１の下側軸端部の上方に、整理券または回数券Ｔの移動を規制するとともに、硬貨Ｃの移動を許容するための規制ローラ６２を昇降可能に配設した券銭分離装置も従来から提案されている。この装置によれば、図１０（ａ）に示すように、整理券または回数券Ｔと多くの硬貨Ｃとが同時に投入されて、図１０（ｂ）に示すように、整理券または回数券Ｔが規制ローラ６２と接触した場合、その規制ローラ６２は自重で定位置を保持し続け、整理券または回数券Ｔは規制ローラ６２により硬貨計数機構の方向への移動が阻止されて、券銭分離ローラ６１間に間隙の方向へ移動される。このため、整理券または回数券Ｔは券銭分離ローラ６１間の間隙から下方に送り出される。
【０００６】
これに対して、図１０（ｃ）に示すように、硬貨Ｃが規制ローラ６２と接触すると、規制ローラ６２は回転されながら硬貨Ｃ上に乗り上げるようにして上方に移動される。これにより、硬貨Ｃは券銭分離ローラ６１の下側軸端部に向かう移動を許容されて、硬貨計数機構６３に送り込まれる。
【特許文献１】特開平１０−２３２９６０号公報
【発明の開示】
【発明が解決しようとする課題】
【０００７】
ところが、この従来の規制ローラ６２を備えた券銭分離装置においても、一対の券銭分離ローラ６１間の位置と、規制ローラ６２との間に、２枚の硬貨ＣがＶ字形をなす状態でほぼ同時に送り込まれたり、２枚あるいはそれ以上の硬貨Ｃが重なった状態でほぼ同時に送り込まれたりすることがある。このような場合には、複数枚の硬貨Ｃが券銭分離ローラ上から硬貨計数機構側へほぼ同時に送り込まれて、硬貨詰まりが発生するというおそれがあった。
【０００８】
この発明は、このような従来の技術に存在する問題点に着目してなされたものである。その目的は、複数枚の硬貨が重なったりした状態ほぼ同時に送り込まれた場合でも、それらの硬貨を異なったタイミングで順に送り出すことができて、硬貨詰まりが発生するおそれを防止することができる硬貨送りローラ、及びそのローラを用いた券銭分離装置を提供することにある。
【課題を解決するための手段】
【０００９】
上記の目的を達成するために、請求項１に記載の発明は、外周面において硬貨の外周に係合するとともに、硬貨の送り方向に回転するようにした硬貨送りローラであって、ローラ外周面にローラ軸線方向に沿って複数の環状領域を隣接形成するとともに、各環状領域にはその周方向に沿って高摩擦係数部と低摩擦係数部とを設け、隣接する環状領域の高摩擦係数部と低摩擦係数部とを周方向にずらして配置したことを特徴とするものである。
【００１０】
請求項２に記載の発明は、請求項１に記載の発明において、前記ローラ外周面に平面部を形成したことを特徴とするものである。
請求項３に記載の発明は、請求項２に記載の発明において、前記平面部に高摩擦係数部と低摩擦係数部との境界部を設けたことを特徴とするものである。
【００１１】
請求項４に記載の発明は、請求項１〜請求項３のうちのいずれか一項に記載の発明において、異なる硬度の弾性材料を用いることにより、高摩擦係数部と低摩擦係数部とを形成したことを特徴とするものである。
【００１２】
請求項５に記載の発明は、軸線が水平面に対して傾斜するとともに、外周間に硬貨の厚さより狭く、整理券または回数券の厚さより広い間隙を介して平行に配置され、この間隙の部分において下方へ向かう方向に互いの反対方向に回転される一対の券銭分離ローラと、その券銭分離ローラの下側軸端部の上方に設けられ、整理券または回数券の券銭分離ローラの軸方向への移動を規制するとともに、硬貨の同方向への移動を許容するための規制ローラと、前記券銭分離ローラの下側軸端部の下方に設けられた硬貨計数機構とを備えた券銭分離装置において、前記規制ローラとして請求項１〜請求項４のうちのいずれか一項に記載の硬貨送りローラを用いたことを特徴とするものである。
【００１３】
（作用）
請求項１に記載の硬貨送りローラの発明においては、複数枚の硬貨がＶ字形をなしたり、重なったりした状態で送り込まれた場合、一枚の硬貨がローラ外周面の一方の環状領域の高摩擦係数部に係合されるとともに、別の硬貨が他方の環状領域の低摩擦係数部に係合される。よって、この状態で硬貨送りローラが回転されると、高摩擦係数部の方が低摩擦係数部よりも硬貨に対するグリップ力が強いため、高摩擦係数部に係合している硬貨が先に送り動作され、その後タイミングを遅らせて、低摩擦係数部に係合している硬貨が送り動作される。従って、重なった状態または連続した状態で送り込まれた２枚の硬貨を異なったタイミングで順に送り出すことができて、硬貨詰まりが発生するおそれを防止することができる。
【００１４】
請求項２に記載の発明においては、５００円硬貨のように外径が大きな硬貨の場合、ローラ外周面の平面部か硬貨の外周に係合することにより、硬貨に対してローラの送り回転が確実に伝達される。よって、大径の硬貨を確実に送り動作させることができる。
【００１５】
請求項３に記載の発明においては、各平面部の周方向の中央部に、高摩擦係数部と低摩擦係数部との境界部が設けられているため、摩擦係数の変化する部分が、硬貨に対して送り込み力がそれほど作用しない平面部となる。従って、送り込み途中で硬貨に対するグリップ力が大きく変化することがなく、それらの硬貨を異なったタイミングで順に送り出す機能を充分に発揮する。
【００１６】
請求項４に記載の発明においては、異なった硬度の弾性材料を用いことができるため、分子量を変えた同材質のエラストマー等を用いることができる。従って、高摩擦係数部と低摩擦係数部とを強固に接着または一体化させることができる。
【００１７】
請求項５に記載の発明においては、一対の券銭分離ローラと規制ローラとの間に、複数枚の硬貨がＶ字形をなしたり、重なったりした状態でほぼ同時に送り込まれたりした場合でも、それらの硬貨を異なったタイミングで硬貨計数機構に送り出すことができる。よって、硬貨計数機構に硬貨詰まりが発生するおそれを防止することができる。
【発明の効果】
【００１８】
以上のように、この発明によれば、複数枚の硬貨が同時に送り込まれた場合でも、それらの硬貨を異なったタイミングで順に送り出すことができて、硬貨詰まりが発生するおそれを防止することができる。また、そのための構成は、硬貨送りローラに高摩擦係数部と低摩擦係数部を形成しただけであるから、部品点数が増えることはなく、構成を簡単にすることが可能になる。
【発明を実施するための最良の形態】
【００１９】
以下に、この発明の一実施形態を、図１〜図８に基づいて説明する。
図１及び図２に示すように、この実施形態の券銭分離装置においては、フレーム１１内に一対の券銭分離ローラ１２，１３がブラケット１４，１５を介して回転可能に支持され、それらの中心軸線は平行をなしている。これらの券銭分離ローラ１２，１３は、中心軸線を水平面に対して傾斜させるとともに、外周面間に硬貨Ｃの厚さより狭くて、整理券または回数券Ｔ（以下、単に整理券Ｔと称する）の厚さより広い間隙Ｓを介在させた状態で平行に配置されている。両券銭分離ローラ１２，１３の軸端部には、互いに噛合する連動歯車１６，１７が取り付けられている。
【００２０】
前記フレーム１１内には駆動モータ１８が配設され、そのモータ軸には駆動歯車１９が取り付けられている。駆動モータ１８の上方において、ブラケット１４には駆動軸２０が回転可能に支持され、この駆動軸２０には駆動歯車１９に噛合可能な従動歯車２１、及び連動歯車１６に噛合可能な伝達歯車２２が取り付けられている。そして、駆動モータ１８の回転が駆動歯車１９、従動歯車２１、駆動軸２０、伝達歯車２２及び連動歯車１６，１７を介して、両券銭分離ローラ１２，１３に伝達される。これにより、図６に示すように、両券銭分離ローラ１２，１３が間隙Ｓの部分において下方へ向かう方向に、つまり互いの反対方向に回転されるようになっている。
【００２１】
図１〜図５に示すように、前記券銭分離ローラ１２，１３の下側（傾斜下降側）軸端部の上方には、整理券Ｔの移動を規制するとともに、硬貨Ｃの移動を許容するための規制ローラ２３が配設されている。この規制ローラ２３は硬貨送りローラを構成している。すなわち、フレーム１１の内面には一対の支持アーム２４が連結ロッド２５にて相互に連結した状態で支軸２６を介して上下方向に回動可能に取り付けられ、それらの支持アーム２４の先端部において、一方の支持アーム２４の外側面に位置するように規制ローラ２３が回転軸２７を介して回転可能に支持されている。一方の支持アーム２４の外面には、規制ローラ２３の上部側の外周に硬貨Ｃが乗り上げるのを阻止規制するための傾斜状の規制片２８が配設されている。
【００２２】
前記支軸２６の外周にはバネ２９が巻装され、このバネ２９により支持アーム２４が図２の反時計方向に回動されて、規制ローラ２３が券銭分離ローラ１２，１３間の間隙Ｓの方向に向かって移動付勢されている。
【００２３】
前記支軸２６の基端部には駆動スプロケット３０が回転可能に支持されている。回転軸２７の基端部には従動スプロケット３１が取り付けられ、この従動スプロケット３１と駆動スプロケット３０との間にはタイミングベルト３２が掛装されている。
【００２４】
前記駆動軸２０の端部には駆動傘歯車３３が取り付けられている。フレーム１１の内面には駆動傘歯車３３に噛合可能な従動傘歯車３４が回転可能に支持され、複数の伝達歯車３５，３６，３７を介して駆動スプロケット３０に作動連結されている。
【００２５】
そして、駆動軸２０の回転が駆動傘歯車３３、従動傘歯車３４、伝達歯車３５〜３７、駆動スプロケット３０、タイミングベルト３２及び従動スプロケット３１を介して、規制ローラ２３に伝達される。これにより、規制ローラ２３が図２の矢印方向に回転軸２７とともに回転されて、券銭分離ローラ６１の下側軸端部に向かう硬貨Ｃの移動が許容される。また、規制ローラ２３の存在により、整理券Ｔの券銭分離ローラ６１の下側軸端部に向かう移動が規制されて、阻止される。よって、硬貨Ｃは券銭分離ローラ１２，１３の下側軸端部に向かって移動されて、後述する硬貨計数機構３８に送り込まれるとともに、整理券Ｔは両券銭分離ローラ１２，１３間の間隙Ｓから下方に送り出されるようになっている。
【００２６】
図１及び図２に示すように、前記券銭分離ローラ１２，１３の下側軸端部の下方には、硬貨計数機構３８が配設されている。この硬貨計数機構３８は、券銭分離ローラ１２，１３上から送り込まれた硬貨Ｃを所定方向に揃えて送り出すための硬貨送出機構部３９と、硬貨Ｃを識別するための硬貨識別機構部４０とから構成されている。フレーム１１の内面には伝達軸４１がブラケット４２を介して、駆動軸２０の軸線に対し所定角度傾斜した軸線の周りで回転可能に支持され、その端部には前記従動傘歯車３４に噛合可能な伝達傘歯車４３が取り付けられている。そして、駆動軸２０の回転が駆動傘歯車３３、従動傘歯車３４、伝達傘歯車４３、伝達軸４１及び複数の歯車よりなる歯車列４４を介して、硬貨送出機構部３９に伝達されて、その硬貨送出機構部３９の各ローラが回転される。これにより、硬貨Ｃが硬貨送出機構部３９から硬貨識別機構部４０に１枚ずつ送り出されて、識別計数されるようになっている。
【００２７】
次に、前記規制ローラ２３の構成を詳細に説明する。
図４及び図５に示すように、この規制ローラ２３においては、前記回転軸２７の外周に２つのローラ本体２３ａが並設状態で密着固定されている。この両ローラ本体２３ａにより、ローラ外周面においてローラ軸線方向に沿って２つの環状領域５１，５２が隣接形成されている。各環状領域５１，５２にはその周方向に沿って、摩擦係数の高い高摩擦係数部５１Ａ，５２Ａと、摩擦係数の低い低摩擦係数部５１Ｂ，５２Ｂとが設けられている。そして、隣接する環状領域５１，５２においては、それらの高摩擦係数部５１Ａ，５２Ａと低摩擦係数部５１Ｂ，５２Ｂとが周方向に１８０度ずらして、互い違いとなるように配置されている。すなわち、一方の環状領域５１の高摩擦係数部５１Ａ及び低摩擦係数部５１Ｂが、他方の環状領域５２の低摩擦係数部５２Ｂ及び高摩擦係数部５２Ａと隣接状態で対応するように配置されている。
【００２８】
前記規制ローラ２３の外周面には１８０度隔てて一対の平面部５３が形成されている。そして、各平面部５３の周方向の中央部に高摩擦係数部５１Ａ，５２Ａと低摩擦係数部５１Ｂ，５２Ｂとの境界部が位置するように構成されている。
【００２９】
この実施形態においては、規制ローラ２３がポリウレタン系，ポリアミド系等のエラストマーにより形成されている。そして、エラストマーの分子量を変化させたものを用いることにより異なった硬度を有する高摩擦係数部５１Ａ，５２Ａと低摩擦係数部５１Ｂ，５２Ｂとが形成されている。従って、硬度の低い方が高摩擦係数部５１Ａ，５１Ａとなり、硬度の高い方が低摩擦係数部５１Ｂ，５２Ｂとなる。
【００３０】
次に、前記のような構成の硬貨送りローラよりなる規制ローラ２３を備えた券銭分離装置について動作を説明する。
さて、この券銭分離装置において、駆動モータ１８により駆動軸２０が回転されると、伝達歯車２２等を介して両券銭分離ローラ１２，１３が間隙Ｓ側において下方向に回転されるとともに、駆動傘歯車３３等を介して規制ローラ２３が図２の矢印方向に回転される。このとき、投入された整理券Ｔは、その大部分が両券銭分離ローラ１２，１３間において巻き込まれるようにして間隙Ｓを通過して下方に送り出される。そして、一部の整理券Ｔは、券銭分離ローラ１２，１３の下側軸端部に向かう方向に移動するが、規制ローラ２３との接触により、その方向への移動を規制されて、両券銭分離ローラ１２，１３間の間隙Ｓを通過して下方に送り出される。
【００３１】
これに対して、硬貨Ｃは両券銭分離ローラ１２，１３間の間隙Ｓの幅よりも厚いために、間隙Ｓ内に入り込むことはない。そして、硬貨Ｃが規制ローラ２３に接触すると、規制ローラ２３が、回転されながら硬貨Ｃ上に乗り上げるようにして、支持アーム２４の回動に伴って上方に移動される。これにより、硬貨Ｃは両券銭分離ローラ１２，１３間の間隙Ｓの上端開口部に沿うとともに、券銭分離ローラ１２，１３上において下側軸端部に向かう移動が許容されて、硬貨計数機構３８に送り込まれる。
【００３２】
また、図８（ａ）及び（ｂ）に示すように、券銭分離ローラ１２，１３上に５００円硬貨のように外径が大きな硬貨Ｃａが投入されることもある。この場合には、規制ローラ２３が硬貨Ｃａ上に乗り上げることができず、硬貨Ｃａの硬貨計数機構３８側への送り込みが不可能になるおそれがある。しかし、この実施形態においては、図８（ａ）に示すように、規制ローラ２３の外周面の平面部５３が硬貨Ｃａの外周に係合することにより、規制ローラ２３が硬貨Ｃａ上に乗り上がって、硬貨Ｃａが規制ローラ２３の外周下方に確実に送られる。そして、図８（ｂ）に示すように、規制ローラ２３が回転されながら上方に移動されることにより、硬貨Ｃａが券銭分離ローラ１２，１３の下側軸端部に向かって移動されて、硬貨計数機構３８に送り込まれる。従って、大径の硬貨Ｃａであっても、規制ローラ２３の上方部分で停滞するおそれを防止することができる。
【００３３】
さらに、整理券Ｔと硬貨Ｃとの分離が行われる際に、図６（ａ）に示すように、券銭分離ローラ１２，１３と規制ローラ２３との間に、２枚の硬貨ＣがＶ字形をなす状態でほぼ同時に送り込まれることがある。この場合には、規制ローラ２３の作用により、それらの硬貨Ｃがそれぞれ異なったタイミングで硬貨計数機構３８に送り出される。すなわち、この硬貨Ｃの送り込み状態では、一方の硬貨Ｃが規制ローラ２３の一方の環状領域５１または５２の高摩擦係数部５１Ａまたは５２Ａに係合されるとともに、他方の硬貨Ｃが他方の環状領域５２または５１の低摩擦係数部５２Ｂまたは５１Ｂに係合される。
【００３４】
この状態における規制ローラ２３の回転により、高摩擦係数部５１Ａまたは５２Ａの部分においては、硬貨Ｃが高い摩擦係数下における強いグリップ力で把持される。一方、低摩擦係数部５２Ｂまたは５１Ｂに係合している硬貨Ｃ側では、硬貨Ｃが低グリップ力で把持されるか、場合によってはスリップが生じる。よって、高摩擦係数部５１Ａまたは５２Ａに係合している硬貨Ｃが先に送り動作され、その後に低摩擦係数部５２Ｂまたは５１Ｂに係合している硬貨Ｃが高摩擦係数部５２Ａまたは５１Ａと係合することにより、有効にタイミングをずらして送り動作される。
【００３５】
また、図６（ｂ）に示すように、券銭分離ローラ１２，１３と規制ローラ２３との間に、２枚あるいは３枚の硬貨Ｃが同一方向に傾斜重合した状態でほぼ同時に送り込まれた場合には、それらの硬貨Ｃが外周上端部において段差を生じた状態で規制ローラ２３の外周面に係合している。よって、上側に位置する硬貨Ｃが先に送り動作され、その後に下側に位置する硬貨Ｃが送り動作される。
【００３６】
従って、券銭分離ローラ１２，１３上に２枚またはそれ以上の複数枚の硬貨ＣがＶ字形をなした状態または同一方向に傾斜重合した状態で送り込まれた場合でも、それらの硬貨Ｃを異なったタイミングで硬貨計数機構３８へ順に送り出すことができて、硬貨詰まりが発生するおそれを防止することができる。
【００３７】
さらに、図７（ａ）に示すように、券銭分離ローラ１２，１３上に２枚以上の硬貨Ｃが連続した状態で送り込まれることもある。この場合には、先行する硬貨Ｃが規制ローラ２３の高グリップ力の高摩擦係数部５１Ａ，５２Ａとの係合により、券銭分離ローラ１２，１３の下側軸端部に向かって移動されて、硬貨計数機構３８に送り込まれる。後続する硬貨Ｃについては、図７（ｂ）に示すように、規制ローラ２３の低グリップ力の低摩擦係数部５１Ｂ，５２Ｂとの係合により場合によってはスリップを生じて、券銭分離ローラ１２，１３の下側軸端部に向かう移動が遅れる。その後、図７（ｃ）に示すように、後続する硬貨Ｃが規制ローラ２３の高摩擦係数部５１Ａ，５２Ａと係合することにより、券銭分離ローラ１２，１３の下側軸端部に向かって確実に移動されて、硬貨計数機構３８に送り込まれる。従って、券銭分離ローラ１２，１３上に２枚以上の硬貨Ｃが連続した状態で送り込まれた場合でも、それらの硬貨Ｃを異なったタイミングで硬貨計数機構３８へ順に送り出すことができて、硬貨詰まりが発生したりするおそれを防止することができる。
【００３８】
また、この実施形態の規制ローラ２３においては、各平面部５３の周方向の中央部に、高摩擦係数部５１Ａ，５２Ａと低摩擦係数部５１Ｂ，５２Ｂとの境界部が設けられている。このため、摩擦係数の変化する部分が、硬貨Ｃ，Ｃａに対して送り込み力がそれほど作用しない平面部５３であるため、送り込み途中で硬貨Ｃ，Ｃａに対するグリップ力が大きく変化することがなく、それらの硬貨Ｃ，Ｃａを異なったタイミングで順に送り出す機能を充分に発揮する。
【００３９】
以上のように、この実施形態では、以下の効果を発揮する。
・  ５００円硬貨のように外径が大きな硬貨Ｃａが投入された場合、規制ローラ２３の外周面の平面部５３が硬貨Ｃａの外周に係合することにより、外径の大きな硬貨Ｃａであっても、券銭分離ローラ１２，１３の下側軸端部に向かって停滞することなく移動されて、硬貨計数機構３８に送り込まれる。
【００４０】
・  券銭分離ローラ１２，１３と規制ローラ２３との間に、硬貨ＣがＶ字形をなす状態でほぼ同時に送り込まれた場合であっても、硬貨Ｃがそれぞれ異なったタイミングで硬貨計数機構３８に送り出され、硬貨計数機構３８における硬貨に詰まりを防止できる。
【００４１】
・  硬貨Ｃが同一方向に傾斜重合した状態でほぼ同時に送り込まれた場合であっても、硬貨Ｃがそれぞれ異なったタイミングで硬貨計数機構３８に送り出され、硬貨計数機構３８における硬貨に詰まりのおそれを防止できる。
【００４２】
・  複数枚の硬貨Ｃが連続した状態で送り込まれた場合、それらの硬貨Ｃを異なったタイミングで硬貨計数機構３８へ順に送り出すことができて、硬貨詰まりが発生するおそれを防止することができる。
【００４３】
・  規制ローラ２３として、それぞれ分子量の異なる高摩擦係数部５１Ａ，５２Ａと低摩擦係数部５１Ｂ，５２Ｂを備えたローラ本体２３ａを隣接状態で設けただけの構成であるため、あらたな部品が増えることはなく、構成を簡単にすることができる。
【００４４】
（変更例）
なお、この実施形態は、次のように変更して具体化することも可能である。
・  図９（ａ）に示すように、規制ローラ２３における一方の環状領域５１の外周面の１箇所に平面部５３を形成するとともに、そこから１８０度離れた部分において他方の環状領域５２の外周面の１箇所に平面部５３を形成すること。つまり、環状領域５１，５２の外周面にそれぞれ１箇所ずつ平面部５３を形成すること。
【００４５】
・  平面部５３をローラ本体２３ａの外周３箇所以上の部分に等間隔をおいて設けること。
・  図９（ｂ）（ｃ）に示すように、規制ローラ２３の外周面に平面部５３を形成することなく、規制ローラ２３を偏心状または楕円状の隣接するローラ本体２３ａにより構成すること。図９（ｂ）に示すように、規制ローラ２３を偏心状のローラ本体２３ａで構成した場合は、ローラ本体２３ａの偏心の向きを互いの反対方向にするとともに、高摩擦係数部５１Ａ，５２Ａと低摩擦係数部５１Ｂ，５２Ｂとの境界部が偏心方向線Ｌと直交する方向線Ｌ１上に配置されるようにする。また、規制ローラ２３を楕円状のローラ本体２３ａで構成した場合は、両ローラ本体２３ａの長短の軸が互いに直交する方向に延びるようにするとともに、高摩擦係数部５１Ａ，５２Ａと低摩擦係数部５１Ｂ，５２Ｂとの境界部が短軸上に位置するようにする。
【００４６】
・  規制ローラ２３を金属または樹脂等の硬質材料で形成し、その外周面にエラストマー等の材料の被覆を施すことにより、高摩擦係数部５１Ａ，５２Ａと低摩擦係数部５１Ｂ，５２Ｂとを形成すること。例えば、エラストマー等の材料の被覆を施した部分を高摩擦係数部５１Ａ，５２Ａとし、被覆を施していない部分を低摩擦係数部５１Ｂ，５２Ｂとする。あるいは、硬度の異なるエラストマー等の材料を被覆することにより、高摩擦係数部５１Ａ，５２Ａと低摩擦係数部５１Ｂ，５２Ｂとを形成すること。
【００４７】
・  規制ローラ２３全体を同一材質のエラストマー等の材料で形成し、そのローラ外周面に異なった粗さの粗面処理を施すことにより、高摩擦係数部５１Ａ，５２Ａと低摩擦係数部５１Ｂ，５２Ｂとを形成すること。
【００４８】
・  前記のような構成の規制ローラ２３を、前記実施形態とは別の装置、例えば硬貨繰り出し装置の繰り出しローラに用いること。
【図面の簡単な説明】
【００４９】
【図１】一実施形態の券銭分離装置を示す要部平面図。
【図２】図１の券銭分離装置の要部側断面図。
【図３】図１の券銭分離装置における規制ローラの関連構成を拡大して示す要部平面図。
【図４】図３の規制ローラの関連構成の斜視図。
【図５】図３の規制ローラの拡大斜視図。
【図６】（ａ）は、２枚の硬貨がＶ形をなす状態で送り込まれた場合の規制ローラの動作状態を示す部分正面図、（ｂ）は、２枚の硬貨が重合状態で送り込まれた場合の規制ローラの動作状態を示す部分正面図。
【図７】（ａ）〜（ｃ）は、複数の硬貨が連続して送り込まれた場合の規制ローラの動作状態を順に示す要部側断面図。
【図８】（ａ）（ｂ）は、大径の硬貨が送り込まれた場合の規制ローラの動作状態を順に示す要部側断面図。
【図９】（ａ）〜（ｃ）は、それぞれ規制ローラの変更例を示す斜視図または側面図。
【図１０】（ａ）〜（ｃ）は、従来の券銭分離装置における規制ローラの動作状態を順に示す要部側断面図。
【符号の説明】
【００５０】
１２，１３…券銭分離ローラ、１８…駆動モータ、２０…駆動軸、２３…規制ローラに用いた硬貨送りローラ、２４…支持アーム、３８…硬貨計数機構、３９…硬貨送出機構部、４０…硬貨識別機構部、５１，５２…環状領域、５１Ａ，５２Ａ…高摩擦係数部、５１Ｂ，５２Ｂ…低摩擦係数部、５３…平面部、Ｔ…整理券、Ｔ…回数券、Ｃ…硬貨、Ｃａ…硬貨、Ｓ…間隙。
【図１】
2006163505.tif 000003
【図２】
2006163505.tif 000004
【図３】
2006163505.tif 000005
【図４】
2006163505.tif 000006
【図５】
2006163505.tif 000007
【図６】
2006163505.tif 000008
【図７】
2006163505.tif 000009
【図８】
2006163505.tif 000010
【図９】
2006163505.tif 000011
【図１０】
2006163505.tif 000012